(57)【要約】      （修正有）【課題】画像を表示する装置をキャビン内に簡単に設置することができる観覧車を提供する。【解決手段】観覧車は、複数のキャビンを有する観覧車である。キャビンの内部にタブレット型コンピュータ４が搭載されている。【選択図】図３
2015146943.tif 000002
【特許請求の範囲】
【請求項１】
複数のキャビンを有する観覧車であって、
前記キャビンの内部にタブレット型コンピュータが搭載されている
ことを特徴とする観覧車。
【請求項２】
前記キャビンは、
底部から立ち上がる側壁部と、
側壁部の上端に設けられた窓部と
を備えており、
前記タブレット型コンピュータは、前記側壁部よりも上方で前記窓部に沿って取り付けられている
ことを特徴とする請求項１記載の観覧車。
【請求項３】
前記タブレット型コンピュータは、
モニターと、
このモニターに表示される画像を制御する制御部と
を備えており、
この制御部は、前記キャビンから見える風景に施設情報を重畳した画像を前記モニターに表示させるものである
ことを特徴とする請求項１又は請求項２に記載の観覧車。
【発明の詳細な説明】
【技術分野】
【０００１】
本発明は、観覧車に関する。
【背景技術】
【０００２】
特許文献１には、従来の観覧車が開示されている。この特許文献１記載の観覧車は、複数のゴンドラを有している。このゴンドラの内部には、モニターが設けられている。このモニターには、コンピュータがケーブルを介して接続されている。コンピュータは、モニターに表示される画像を制御するものであり、ゴンドラの座席の内部に格納されている。
【先行技術文献】
【特許文献】
【０００３】
【特許文献１】特開２０１１−２２９６７９号公報
【発明の概要】
【発明が解決しようとする課題】
【０００４】
ところで、一般に、ゴンドラの座席の内部には、扉の開閉装置の制御装置や，この制御装置・エアコン・照明等の電源装置などが格納されている。
【０００５】
このため、特許文献１記載の観覧車のように、コンピュータを座席の内部に格納しようとしても、このコンピュータを設置するためのスペースが確保できない場合がある。とりわけ、既存のゴンドラの座席の内部にコンピュータを追加しようとした場合には、既に設置されている制御装置および電源装置等の位置を変更する必要があって、大変な作業を伴う場合がある。
【０００６】
本発明は、上記事情に鑑みてなされたものであり、その目的とするところは、画像を表示する装置をキャビン内に簡単に設置することができる観覧車を提供することにある。
【課題を解決するための手段】
【０００７】
本発明の観覧車は、複数のキャビンを有する観覧車であって、前記キャビンの内部にタブレット型コンピュータが搭載されていることを特徴とする。
【０００８】
またこの観覧車において、前記キャビンは、底部から立ち上がる側壁部と、側壁部の上端に設けられた窓部とを備えており、前記タブレット型コンピュータは、前記側壁部よりも上方で前記窓部に沿って取り付けられていることが好ましい。
【０００９】
またこの観覧車において、前記タブレット型コンピュータは、モニターと、このモニターに表示される画像を制御する制御部とを備えており、この制御部は、前記キャビンから見える風景に施設情報を重畳した画像を前記モニターに表示させるものであることが好ましい。
【発明の効果】
【００１０】
本発明の観覧車によれば、モニターと制御部とを一体に備えたタブレット型コンピュータをキャビン内に設置するものであるため、モニターとコンピュータとを別々に取り付ける必要がない。すなわち、本発明の観覧車によれば、画像を表示する装置をキャビン内に簡単に設置することができる。
【図面の簡単な説明】
【００１１】
【図１】実施形態１の観覧車の正面図である。
【図２】実施形態１のキャビンの斜視図である。
【図３】実施形態１のキャビン内の斜視図である。
【図４】実施形態１の制御部のブロック図である。
【図５】実施形態１のタブレット型コンピュータの待機画面の正面図である。
【図６】実施形態１のタブレット型コンピュータの別の画像が表示された状態の正面図である。
【図７】実施形態１のタブレット型コンピュータのさらに別の画像が表示された状態の正面図である。
【図８】実施形態２のキャビンの斜視図である。
【図９】実施形態２の制御部のブロック図である。
【図１０】実施形態２の観覧車の動作の一例を示すフローチャートである。
【発明を実施するための形態】
【００１２】
以下、本発明の実施形態について添付図面に基づいて説明する。
【００１３】
実施形態１の観覧車１は、図１に示すように、支持体１２と、外周部に複数のキャビン２が設けられた回転輪１５とを備えている。この観覧車１の下方には、乗降場１１が設けられている。乗降場１１は、キャビン２に人を乗降させるために設けられている。乗降場１１は、観覧車１が設置された地面に設けられている。乗降場１１は、キャビン２の移動軌跡に沿って設けられている。
【００１４】
支持体１２は、地面に立ち上げられて設けられている。支持体１２は、前後方向に離れた一対の脚部１３によって構成されている。各脚部１３は、３つの直線状の鉄骨体１４によって構成されており、地面の３か所に固定された鉄骨体１４の各上端同士を一点に集合させることで構成される。
【００１５】
なお、支持体１２としては、鉄骨体１４によって構成されたものに限らず、ビルや建物などの建造物などによって構成されてもよい。
【００１６】
回転輪１５は、脚部１３同士の間に架けられた軸（図示せず）に軸支されており、これにより、支持体１２に回転自在に支持されている。回転輪１５の径方向の外側端部には、複数のキャビン２が吊り下げられている。キャビン２は、回転輪１５の周方向の全長に亙って一定の間隔をおいて複数箇所に設けられている。
【００１７】
キャビン２は、図２に示すように、キャビン２の下部を形成する底部２１と、底部２１の外周端部から立ち上げられた側部２７と、側部２７の上端に設けられた天井部２６とを備えている。側部２７には出入口２８が設けられており、この出入口２８には、開閉自在な扉３６が設けられている。底部２１と側部２７と天井部２６とで囲まれた部分（つまり、キャビン２の内部）には、観覧車１の搭乗者（以下、単に搭乗者という）が乗ることができる。
【００１８】
底部２１は、キャビン２内の床板２２と、床板２２の下方に配置されてキャビン２の下部の外郭を形成する下外郭部２３とを有している。床板２２と下外郭部２３との間には、扉３６を開閉させる開閉装置（図示せず）が収容配置されている。この開閉装置は、キャビン２が乗降場１１に到着すると、扉３６を開放させ、キャビン２が乗降場１１以外の箇所にいる場合には、扉３６を閉じた状態に保持する。
【００１９】
床板２２には、図３に示すように、座席２４が設けられている。座席２４は、前後方向に長さを有する長椅子であり、前後方向に直角な方向に離れるようにして一対設けられている。
【００２０】
側部２７は、側壁部２９と、窓部３０とを備えている。側壁部２９は、底部２１の外周端部から上方に向かって立ち上げられている。側壁部２９は、金属板などの不透明の部材によって構成されている。側壁部２９の上端は、座席２４の上面（座面２５）とほぼ同じ高さに形成されている。この側壁部２９の上端には窓部３０が設けられている。
【００２１】
窓部３０は、側壁部２９の上端と天井部２６との間の全長に亙って設けられている。窓部３０は、側壁部２９の上端に沿って配置された横桟３１と、横方向に所定の間隔を置いて設けられた縦桟３２と、横桟３１と縦桟３２との間に嵌め込まれたガラス板３３とを備えている。窓部３０は、座面２５と同じ高さ位置から天井部２６に亙る領域に設けられており、これにより、座席２４に座った搭乗者が座ったままでキャビン２の外の景色を眺めることができる。なお、図３中の符号３４に示すものは、手摺りである。
【００２２】
キャビン２の内部には、タブレット型コンピュータ４が搭載されている。タブレット型コンピュータ４は、前面にモニター４１が設けられた板状のコンピュータである。タブレット型コンピュータ４は、モニター４１と、モニター４１の後面に設けられる筐体４２と、モニター４１と筐体４２との間に配置された制御部４３とを備えている。
【００２３】
モニター４１は、タッチパネル式の液晶ディスプレイによって構成されている。これにより、タブレット型コンピュータ４は、モニター４１に映された操作部４７をタッチすることで操作することができる。
【００２４】
なお、本実施形態のモニター４１には、静電容量式のタッチパネルが用いられているが、抵抗膜方式のタッチパネルでもよい。また、モニター４１は、タッチパネルでなくてもよい。すなわち、タブレット型コンピュータ４の操作は、モニター４１に映された操作部４７をタッチして行うものでなくてもよく、機械的な押圧ボタンによって行うものであってもよい。
【００２５】
筐体４２は、正面視において、モニター４１と同じ外形に形成されている。筐体４２は、正面視矩形状をしており、タブレット型コンピュータ４の後面を形成する。
【００２６】
制御部４３は、モニター４１に表示される画像を制御する。制御部４３は、例えば、マイクロプロセッサを主構成要素とする。制御部４３は、図４に示すように、メモリ４４と、画像取得手段４５と、表示手段５７とを備えている。また、制御部４３にはタイマ６１が設けられている。
【００２７】
メモリ４４には予め作られた複数の画像データが記憶されている。画像データは、待機画面用の画像データ、キャビン２から予め撮影した風景画に簡略化した施設情報８を重畳した画像データ、施設情報８を詳しく掲載した画像データ等である。これらの画像データは、特定の操作部４７に関連付けられて記憶されている。
【００２８】
画像取得手段４５は、操作部４７から入力された信号に基づいて、メモリ４４から画像データを取得する。画像取得手段４５は、例えば、簡略化した施設情報８が表示された領域（操作部４７）がユーザーにタッチされることで、当該領域に関連付けられた画像データを、メモリ４４から取得し、表示手段５７に出力する。
【００２９】
表示手段５７は、画像取得手段４５によって入力された画像データを、モニター４１に表示させる。
【００３０】
タイマ６１は、ユーザーが操作部４７での操作等でタッチパネルに触れた後、一定時間が経過すると、その旨の情報を画像取得手段４５に出力する。すると画像取得手段４５は、メモリ４４から待機画面用の画像データを取得し、表示手段５７に出力する。これにより、最後の操作から一定時間経過すると、モニター４１には待機画面が表示されるように構成されている。
【００３１】
このような構成の制御部４３によって、モニター４１には例えば、次のような画像が表示される。
【００３２】
図５には待機画面を示す。待機画面には、「画面をタッチしてください。」との表示の下方に「周辺施設情報」「歴史散策」「地図類」の３つの操作部４７と、その左隣には「English」と表示された操作部４７と、「昼」「夜」と表示された２つの操作部４７とが設けられている。
【００３３】
ユーザーが「周辺施設情報」の操作部４７をタッチすると、「周辺施設情報」の操作部４７に関連付けられた図６の画像がモニター４１に表示される。なお、ユーザーが「English」と表示された操作部４７を操作すると、日本語表記に対応する箇所が英語表記となった画像が表示される。また、「昼」の操作部４７をタッチすると日中のキャビン２から見える風景が、「夜」の操作部４７をタッチすると夜のキャビン２から見える風景が、モニター４１に表示される。
【００３４】
この画像において、各施設に対応する箇所には、簡略化された施設情報８（例えば、「○○○○○ビル」等の名称を矩形で囲んだ領域）が重畳されている。この簡略化された施設情報８の領域は操作部４７となっており、この領域をタッチすることで、これに関連付けられた画像が表示される。
【００３５】
図７には、簡略化された施設情報８の領域をタッチすることで表示された画像を示す。この画像は、その施設情報８を詳しく説明した説明文と共に、その施設を撮影した写真が掲載されている。これによりユーザーは、より詳しい観光情報を見ることができる。
【００３６】
また、ユーザーが待機画面において、「歴史散策」の操作部４７をタッチすると、観覧車１の設置された場所において過去に存在した施設情報８を重畳した画像が表示される。この施設情報８も簡略化された施設情報８であり、この簡略化された施設情報８の領域をタッチすることで、説明文と写真とが併記された画面がモニター４１に表示される。
【００３７】
また、ユーザーが待機画面において、「地図類」の操作部４７をタッチすると、年代ごと（例えば、１８００年代，１９００年代・・）の風景の選択画面に遷移する。ユーザーは、所望の年代を選択しタッチすると、その年代における地図や地形があらわされた画像がモニター４１に表示される。
【００３８】
このタブレット型コンピュータ４は、図３に示すように、出入口２８とは反対側の側部２７において、側壁部２９の上端に取付具７を介して取り付けられている。言い換えると、タブレット型コンピュータ４は、キャビン２の出入口２８とは反対側の内側面に取り付けられている。
【００３９】
タブレット型コンピュータ４は、窓部３０のガラス板３３の前方に配置されている。また、タブレット型コンピュータ４は、ガラス板３３に沿って配置されている。すなわち、タブレット型コンピュータ４は、側壁部２９よりも上方で且つ窓部３０に沿って取り付けられている。これにより、搭乗者は、座席２４に座ったまま視線の向きを変えるだけで（つまり、顔の位置を変えないで）、タブレット型コンピュータ４とキャビン２の外の景色とを交互に見ることができる。
【００４０】
取付具７は、タブレット型コンピュータ４をキャビン２内に固定するためのものである。取付具７は、窓部３０の横桟３１に固定される固定部７１と、タブレット型コンピュータ４の筐体４２を保持する保持部７２とを備えている。取付具７は、タブレット型コンピュータ４を所定の角度に保持した状態でキャビン２内に固定する。
【００４１】
以上、説明したように、本実施形態の観覧車１は、複数のキャビン２を有する観覧車１である。キャビン２の内部には、タブレット型コンピュータ４が搭載されている。
【００４２】
このように本実施形態の観覧車１は、モニター４１と制御部４３とを一体に備えたタブレット型コンピュータ４をキャビン２内に設置するものであるため、モニター４１とコンピュータとを別々に取り付ける必要がない。すなわち、タブレット型コンピュータ４をキャビン２内に搭載するだけで、モニター４１付きのキャビン２とすることができ、施工を簡略化することができる。
【００４３】
また、本実施形態のキャビン２は、底部２１から立ち上がる側壁部２９と、側壁部２９の上端に設けられた窓部３０とを備えている。タブレット型コンピュータ４は、側壁部２９よりも上方で前記窓部３０に沿って取り付けられている。
【００４４】
このため、本実施形態の観覧車１によれば、搭乗者は、座席２４に座ったまま視線の向きを変えるだけで（つまり、顔の位置を変えないで）、タブレット型コンピュータ４とキャビン２の外の景色とを交互に見ることができる。
【００４５】
また、本実施形態のタブレット型コンピュータ４は、モニター４１と、このモニター４１に表示される画像を制御する制御部４３とを備えている。この制御部４３は、キャビン２から見える風景に施設情報８を重畳した画像を前記モニター４１に表示させるものである。
【００４６】
このため、搭乗者は、観覧車１から実際に見える風景と、施設情報８とを照らし合わせて確認することができる。
【００４７】
なお、本実施形態において施設情報８とは、簡略化された施設情報８（例えば、「○○ビル」等の名称を矩形で囲んだ領域）であったが、説明文を記載した施設情報であってもよい。つまり、モニター４１に表示させる画像は、風景に説明文を重畳した画像であってもよい。
【００４８】
次に、実施形態２について図８〜１０に基づいて説明する。なお、本実施形態は実施形態１と大部分において同じであるため、同じ部分においては同符号を付して説明を省略し、主に異なる部分について説明する。
【００４９】
実施形態２の観覧車１は、実施形態１の観覧車１と同様、キャビン２内にタブレット型コンピュータ４が搭載されている。本実施形態の観覧車１は、実施形態１の観覧車１と比較すると、制御部４３の処理とキャビン２の一部が異なるが、その他の構成は同じである。
【００５０】
本実施形態のタブレット型コンピュータ４の制御部４３は、現実空間と仮想空間とを実時間で融合する複合現実感[Mixed Reality；拡張現実感（Augmented Reality）や拡張仮想感（Augmented Virtuality）も含む。以下、ＭＲという]を提示することができる。この制御部４３は、キャビン２に設けられた撮像装置３５によって撮像したキャビン２の外の風景画（この撮像した風景画を実画像という）に、仮想画像を重畳して合成画像を生成し、この合成画像をモニター４１に表示させるものである。本実施形態の制御部４３においては、施設情報８だけでなく、過去に存在した風景（城や塔等の建造物や、山や谷や森等の自然物を含む）の仮想画像を重畳させることができる。
【００５１】
キャビン２には、図８に示すように、撮像装置３５が設けられている。撮像装置３５は、キャビン２の底部２１の下面（下外郭部２３）に設けられている。撮像装置３５は、例えば全方位カメラによって構成されている。
【００５２】
キャビン２内にはタブレット型コンピュータ４が搭載されている。本実施形態のタブレット型コンピュータ４は、キャビン２に取り外し自在に取り付けられている。
【００５３】
制御部４３は、撮像装置３５により撮像した実画像に仮想画像を重畳して新たな合成画像を生成し、その合成画像をモニター４１に表示させる。本実施形態の制御部４３は、実際の風景の特定の物体をマーカとして認識させ、そのマーカに対応する部分に仮想画像を重畳させるマーカ認識型の複合現実感技術が用いられているが、これに限定されない。
【００５４】
制御部４３は、図９に示すように、マーカ認識手段４８と、画像変形手段４９と、記憶部５３と、画像合成手段５６と、表示手段５７とを備えている。制御部４３は、実画像の所定の位置に、当該位置に対応した仮想画像を重ね合わせることにより合成画像を生成し、その合成画像を表示装置に表示させる。
【００５５】
マーカ認識手段４８は、撮像装置３５により生成された実画像内におけるマーカを認識する。マーカ認識手段４８は、第一検出部と、第二検出部とを有する。第一検出部は、実画像上の物体の有無を認識する。第二検出部は、第一検出部によって認識された物体がマーカであるか否かを検出する。第二検出部は、第一検出部によって検出された物体の形状と、記憶部５３のマーカメモリ５５に記憶されたマーカの形状とを照合させ、第一検出部によって検出された物体がマーカであるか否かを検出する。
【００５６】
マーカは、特定の形状をした石，石碑、植物，建造物等が挙げられる。マーカ認識手段４８は、マーカ上の複数の特徴点を認識し、これにより特定のマーカを認識する。マーカ上の特徴点は、マーカの角部や直線部等が挙げられる。
【００５７】
マーカ認識手段４８は、実画像内の座標系（以下、スクリーン座標系）内におけるマーカの位置情報を画像合成手段５６に出力する。またマーカ認識手段４８は、記憶部５３と照合した第二検出部の情報とマーカの大きさと角度とを画像変形手段４９に出力する。
【００５８】
画像変形手段４９は、仮想画像取得手段５０と、補正手段５１と、仮想画像変形手段５２とを備える。
【００５９】
仮想画像取得手段５０は、マーカ認識手段４８により入力された情報に基づいて、マーカに関連付けられた仮想画像を仮想画像メモリ５４から取得する。
【００６０】
記憶部５３は、仮想画像メモリ５４とマーカメモリ５５とを備えている。仮想画像メモリ５４は、実画像に重ね合わせる画像データを、対応するマーカに関連付けて記憶している。仮想画像メモリ５４は、仮想画像取得手段５０からの信号を受けて、仮想画像の各データを仮想画像取得手段５０に出力する。マーカメモリ５５は、ワールド座標系内に配置された物体と適合するマーカの形状が複数記憶されており、上述のとおり、第二検出部との照合に利用される。
【００６１】
仮想画像変形手段５２は、マーカ認識手段４８から入力されたマーカの大きさと角度とを受信し、これに基づいて、仮想画像を実画像に重ね合わせるべき形状に変換する。仮想画像変形手段５２は、この変換後の画像データを画像合成手段５６に出力する。
【００６２】
補正手段５１は、撮像装置３５から取得した実画像から明度を解析して、実画像の明度に適合するように仮想画像の明度を補正する。補正手段５１は、仮想画像取得手段５０と画像変形手段４９との間に設けられているが、仮想画像変形手段５２の後に設けられていてもよい。
【００６３】
画像合成手段５６は、マーカ認識手段４８により認識されたマーカの位置に、変換後の仮想画像を重ね合わせ、これにより合成画像を生成する。言い換えると、実画像の所定の位置に、当該位置に対応した仮想画像を重ね合わせることにより合成画像を生成する。画像合成手段５６は、合成画像のデータを表示手段５７に出力する。
【００６４】
表示手段５７は、表示画像決定手段５８と、画像表示手段５９とを備えている。
【００６５】
表示画像決定手段５８は、タブレット型コンピュータ４の位置・方向検知手段６０から出力された信号を受信する。表示画像決定手段５８は、タブレット型コンピュータ４の向けられた方向に相当する合成画像の箇所を抽出し、これによりモニター４１に出力する画像を決定する。表示画像決定手段５８は、合成画像から抽出した画像を画像表示手段５９に出力する。
【００６６】
なお、位置・方向検知手段６０は、タブレット型コンピュータ４の位置と向きとを検知する。位置・方向検知手段６０は、例えば、ＧＰＳ受信機およびジャイロセンサーによって構成される。
【００６７】
画像表示手段５９は、表示画像決定手段５８により出力された合成画像のデータに基づいて、モニター４１に表示させる。
【００６８】
このように構成された観覧車１の動作を説明する。図１０には、本実施形態の観覧車１の動作の一例を示すフローチャートを示す。
【００６９】
観覧車１の回転輪１５を回転させ、ゴンドラが乗降場１１から離れると、制御部４３は処理を開始する（Ｓ１）。制御部４３は、ゴンドラの外の風景の画像を撮像するよう撮像装置３５を動作させる（Ｓ２）。撮像装置３５がゴンドラの周囲の風景の画像を撮るのと同時に、制御部４３は、タブレット型コンピュータ４に設けられた位置・方向検知手段６０（例えば、ＧＰＳ受信機とジャイロセンサー）によりタブレット型コンピュータ４の位置と向きとを測定してキャビン２の位置情報とタブレット型コンピュータ４の姿勢情報とを取得する（Ｓ３）。次いで制御部４３は、ゴンドラの位置情報とタブレット型コンピュータ４の向き情報とに基づいて画像変形手段４９により仮想画像の大きさ・姿勢を変形する（Ｓ４）。画像合成手段５６は、メインメモリ内に実画像を描画し（Ｓ５）、スクリーン座標系に基づいて実画像上に仮想画像を重畳描画する（Ｓ６）。次いで制御部４３は、タブレット型コンピュータ４の姿勢情報に基づいてモニター４１に表示する合成画像の表示領域を決定する（Ｓ８）。そして制御部４３は、表示画像決定手段５８により決定された画像を、モニター４１に表示させる（Ｓ９）。次いで制御部４３は、処理終了の信号の有無を判断し（Ｓ１０）、処理終了の信号を受けていない場合には、ステップＳ１の処理に戻り、ステップＳ１〜Ｓ１０の処理を繰り返す。処理終了の信号を受けた場合には、撮像装置３５の画像の撮影を終了させ、制御装置５の処理も終了する（Ｓ１１）。
【００７０】
本実施形態のタブレット型コンピュータ４は、キャビン２から取り外し自在となっており、キャビン２外の風景に応じた画像をモニター４１に表示させることができるため、キャビン２に載ったユーザーは風景を眺める以上に楽しむことができる。
【００７１】
本実施形態の施設情報８は、過去に存在した風景の仮想画像であったが、実施形態１の仮想画像と同様に、施設の名称を記載した仮想画像であってもよい。
【符号の説明】
【００７２】
１      観覧車
２      キャビン
２７    側部
２９    側壁部
３０    窓部
３３    ガラス板
４      タブレット型コンピュータ
４１    モニタ
４２    筐体
４３    制御部
４７    操作部
７      取付具
７１    固定部
７２    保持部
８      施設情報
【図１】
2015146943.tif 000003
【図２】
2015146943.tif 000004
【図３】
2015146943.tif 000005
【図４】
2015146943.tif 000006
【図５】
2015146943.tif 000007
【図６】
2015146943.tif 000008
【図７】
2015146943.tif 000009
【図８】
2015146943.tif 000010
【図９】
2015146943.tif 000011
【図１０】
2015146943.tif 000012
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
複数のキャビンを有する観覧車であって、
前記キャビンの内部にタブレット型コンピュータが搭載されている
ことを特徴とする観覧車。
【請求項２】
前記キャビンは、
底部から立ち上がる側壁部と、
側壁部の上端に設けられた窓部と
を備えており、
前記タブレット型コンピュータは、前記側壁部よりも上方で前記窓部に沿って取り付けられている
ことを特徴とする請求項１記載の観覧車。
【請求項３】
前記タブレット型コンピュータは、
モニターと、
このモニターに表示される画像を制御する制御部と
を備えており、
この制御部は、前記キャビンから見える風景に施設情報を重畳した画像を前記モニターに表示させるものである
ことを特徴とする請求項１又は請求項２に記載の観覧車。
【請求項４】
前記タブレット型コンピュータは、
モニターと、
このモニターに表示される画像を制御する制御部と
を備えており、
この制御部は、前記キャビンから見える風景を示す実画像に仮想画像を重畳して、過去に存在した風景の画像を生成し、この生成した画像を前記モニターに表示させるものである
ことを特徴とする請求項１又は請求項２に記載の観覧車。
【手続補正２】
【補正対象書類名】明細書
【補正対象項目名】０００９
【補正方法】変更
【補正の内容】
【０００９】
またこの観覧車において、前記タブレット型コンピュータは、モニターと、このモニターに表示される画像を制御する制御部とを備えており、この制御部は、前記キャビンから見える風景に施設情報を重畳した画像を前記モニターに表示させるものであることが好ましい。
またこの観覧車において、前記タブレット型コンピュータは、モニターと、このモニターに表示される画像を制御する制御部とを備えており、この制御部は、前記キャビンから見える風景を示す実画像に仮想画像を重畳して、過去に存在した風景の画像を生成し、この生成した画像を前記モニターに表示させるものであることが好ましい。